(57)【要約】【課題】従来の携帯装置が周辺装置に接続する時の電力消費の問題を解消するための伝送機能を有するマルチ用途充電装置及びマルチ用途充電システムを提供する。【解決手段】本考案の伝送機能を有するマルチ用途充電システムは携帯装置と電源アダプタとＵＳＢ伝送線とで構成される。携帯装置はＵＳＢ（Ｕｎｉｖｅｒｓａｌ  Ｓｅｒｉａｌ  Ｂｕｓ）ホストチップとＵＳＢコネクタとを備え、ＵＳＢ伝送線を介して電源アダプタに電気的に接続される。また、電源アダプタはイーサネット接続インターフェースとＵＳＢポートとを備える。この構成により前記携帯装置は、電源アダプタより充電を行い、また、電源アダプタはＵＳＢポートに挿入する周辺装置に電力を供給する。したがって携帯装置の電力消費を気にせずデータ伝送及びイーサネットを使用することができる。【選択図】  図３
0003118303.tif 000002
【実用新案登録請求の範囲】
【請求項１】
充電プラグと、
前記充電プラグにより入力する電圧を第一の直流電圧に変換する電圧変換器と、
前記電圧変換器と第一の装置とに接続される第一の接続ポートと、
前記第一の接続ポートに電気的に接続されて、前記第一の装置に前記第一の直流電圧を提供すると共に、第二の装置と前記第一の装置とが互いに信号伝送するように前記第二の装置と前記第一の装置とを接続する信号伝送線とを備えることを特徴とする伝送機能を有するマルチ用途充電装置。
【請求項２】
前記第一の接続ポートはＵＳＢポートであることを特徴とする請求項１に記載された伝送機能を有するマルチ用途充電装置。
【請求項３】
前記電圧変換器はさらに、前記第二の装置に電力供給或は充電するように、第二の直流電圧を提供することを特徴とする請求項１または請求項２に記載された伝送機能を有するマルチ用途充電装置。
【請求項４】
イーサネット接続インターフェースと、
前記電圧変換器に電気的に接続し、かつ前記第一の接続ポートと前記イーサネット接続インターフェースに電気的に結合するイーサネットチップとをさらに含むことを特徴とする請求項１乃至請求項３のいずれかに記載された伝送機能を有するマルチ用途充電装置。
【請求項５】
充電及び信号伝送するコネクタが設けられた携帯装置と、
充電プラグと電圧変換器とイーサネットチップとイーサネット接続インターフェースとを有し、前記充電プラグは前記電圧変換器に接続され、前記電圧変換器は前記イーサネットチップに電気的に接続し、前記イーサネットチップが前記イーサネット接続インターフェースに結合するアダプタと、
前記アダプタ及び前記コネクタに接続され、前記イーサネットチップに結合する接続伝送線とを備えることを特徴とする伝送機能を有するマルチ用途充電システム。
【請求項６】
前記電圧変換器は前記接続伝送線に電気的に接続されることを特徴とする請求項５に記載された伝送機能を有するマルチ用途充電システム。
【請求項７】
前記携帯装置はさらに充電電池を含み、前記充電電池はコネクタに電気的に接続し充電を行うことを特徴とする請求項５または請求項６に記載された伝送機能を有するマルチ用途充電システム。
【請求項８】
前記アダプタはさらに接続ポートを有し、前記接続ポートは前記接続伝送線に電気的に結合し、前記携帯装置と前記接続ポートに接続する周辺装置とは互いに信号伝送を行うことを特徴とする請求項５乃至請求項７のいずれかに記載された伝送機能を有するマルチ用途充電システム。
【請求項９】
前記アダプタはさらに双方向データ伝送セレクタを有し、前記双方向データ伝送セレクタはメイン通路と少なくとも二組の選択通路が設けられ、これらの選択通路は夫々前記イーサネットチップ及び前記接続ポートに電気的に接続し、かつ前記メイン通路が前記接続伝送線に電気的に結合することを特徴とする請求項８に記載された伝送機能を有するマルチ用途充電システム。
【考案の詳細な説明】
【技術分野】
【０００１】
本考案は、伝送機能を有するマルチ用途充電システムに係わり、特に、携帯装置を充電すると同時に、ＵＳＢポートに接続する装置に電力を供給し、且つ、データ伝送が可能で前記携帯装置をイーサネットに接続させることのできるマルチ用途充電装置及びマルチ用途充電システムに関するものである。
【背景技術】
【０００２】
現在、軽くて便利な携帯装置、例えば、携帯電話や個人用の携帯情報端末（Ｐｅｒｓｏｎａｌ  Ｄｉｇｉｔａｌ  Ａｓｓｉｓｔａｎｔ：ＰＤＡ）は、既に人々の日常生活や仕事に深く取り入れられている。これらの携帯装置は小型軽量のため携帯に便利なだけでなく、昨今の技術の進歩に伴い、様々な機能を備えることが可能となっている。例えば、無線通信、快速な情報検索、データ入力、並びに伝送機能等、いずれの面においても人々に多大な利便性を与えている。
【考案の開示】
【考案が解決しようとする課題】
【０００３】
一般に、前記した携帯装置における電力消費の問題は、今まで常にシステム設計上の非常に重要な技術的課題の一つである。例えば、ＵＳＢ（Ｕｎｉｖｅｒｓａｌ  Ｓｅｒｉａｌ  Ｂｕｓ）ポートインターフェースを有する周辺装置（例えば、ＵＳＢ携帯メモリ、メモリスティックアダプタなど）と携帯装置との間で直接的にデータ伝送を行う場合、携帯装置にＵＳＢホストチップを設置し、周辺装置とＵＳＢ接続する必要がある。その場合、携帯装置は周辺装置に対し電力を供給する必要があり、余計に電力を消費しなければならない。即ち、携帯装置と周辺装置とが互いにデータ伝送を行う場合には、携帯装置（の充電電池）における多大な電力消費が問題となっており、従来一般には、安定した電力供給を行うことのできるデスクトップＰＣ或いはノートブックＰＣを介してデータ伝送や（携帯装置からの）イーサネットオンライン接続などが行われていた。
【０００４】
しかしながら、デスクトップＰＣやノートブックＰＣを用いず、前記のように携帯装置と周辺機器との間で直接的にデータ伝送を行いたい場合には、携帯装置の充電器を用いることで可能となる。その場合、携帯装置は、搭載するＵＳＢホストチップがＵＳＢコネクタを介して周辺装置に接続されデータ伝送が行われると、この携帯装置の充電器（電源アダプタ）を使用し、常にデータ伝送時の電力供給を確保しなければならない。
【０００５】
例えば図１はＵＳＢホストチップを内蔵した従来の携帯装置システムを示す図である。図１に示すように、この携帯装置システムは、携帯装置１と周辺装置４とＵＳＢ伝送線３と電源アダプタ２とを含んでいる。携帯装置１は、ＵＳＢホストチップ１０と、ＵＳＢコネクタ１２と、充電電池１４とを備え、ＵＳＢホストチップ１０はＵＳＢコネクタ１２に結合されている。
【０００６】
また、周辺装置４はＵＳＢポート４０を有し、このＵＳＢポート４０はＵＳＢ伝送線３を介してＵＳＢコネクタ１２と電気的に接続されている。そして、その状態で、携帯装置１より周辺装置４に対し電力供給がなされ、データ伝送が行われる。
また、充電器である電源アダプタ２は電圧変換器２０と充電プラグ２２とを有し、充電プラグ２２は電圧変換器２０に電気的に接続されている。そして、電圧変換器２０が携帯装置１に必要な電圧を与えて充電電池１４を充電することにより、携帯装置１がデータ伝送時における正常な電力供給を確保するようになされている。
【０００７】
しかしながら、この従来のシステムにあっては、前記したようにデータ伝送時において必ず携帯装置１から周辺機器４に対して電力供給する必要があるため、携帯装置において多大に電力を消費し、充電電池１４への充電効率が低下するという課題があった。
【０００８】
また、従来の特許文献１の「携帯電話伝送装置」を参照すると、その携帯電話はノートブックＰＣを介して周辺装置にデータ伝送及び充電を行うしかできないという課題を有している。
【特許文献１】中華民国特許公告番号第５６２３５２号
【０００９】
そこで、本考案の考案者は前記した欠点の改善に鑑み、積極的研究に専念し学術の利用によって、よりよい設計且つ前記の課題を解決できる好適な本考案の構成を提案するに至った。
即ち、この考案は、前記した技術的な問題点に着目してなされたものであり、伝送機能を有するマルチ用途充電システムに係わり、携帯装置を効率的に充電すると同時に、ＵＳＢポートに接続する装置に電力を供給し、且つ、データ伝送が可能で前記携帯装置をイーサネットに接続させることのできるマルチ用途充電装置及びマルチ用途充電システムを提供することを目的とする。
【課題を解決するための手段】
【００１０】
前記の目的を達成するために、本考案の伝送機能を有するマルチ用途充電システムは、携帯装置と、アダプタと、ＵＳＢ伝送線とを含む。その中で、携帯装置はＵＳＢ（Ｕｎｉｖｅｒｓａｌ  Ｓｅｒｉａｌ  Ｂｕｓ）ホストチップとＵＳＢコネクタと充電電池とを備え、このＵＳＢホストチップはＵＳＢコネクタに結合される。また、前記アダプタは充電プラグと電圧変換器とＵＳＢポートとＵＳＢイーサネットチップとイーサネット接続インターフェースと双方向データ伝送セレクタとを備え、充電プラグは電圧変換器に電気的に接続し、電圧変換器は双方向データ伝送セレクタとＵＳＢポートとＵＳＢイーサネットチップに電気的に接続して電力を与え、双方向データ伝送セレクタはメイン通路と少なくとも二組の選択通路を有し、これらの選択通路は夫々ＵＳＢイーサネットチップ及びＵＳＢポートに電気的に接続する。また、ＵＳＢ伝送線はアダプタとＵＳＢコネクタに電気的に接続し、携帯装置をＵＳＢコネクタを介して充電させ、かつ、このＵＳＢ伝送線はメイン通路に電気的に結合し信号を伝送させる。
【考案を実施するための最良の形態】
【００１１】
本考案の特徴とその技術内容をさらに詳細で具体的に説明するために、以下に添付図面を参照しながら、本考案の具体的な実施の形態を詳細に説明する。尚、それらの説明と図面に開示される具体的な構成は本考案の主張範囲を狭義に局限するものではないことは言うまでもない。
【００１２】
図２は本考案の伝送機能を有するマルチ用途充電システムの第一の実施の形態を示す図である。図に示すように、本考案の伝送機能を有するマルチ用途充電システムは、携帯装置１００（第二の装置）と電源アダプタ２００（マルチ用途充電装置、アダプタ）とで構成される。その中では、携帯装置１００はＵＳＢ（Ｕｎｉｖｅｒｓａｌ Ｓｅｒｉａｌ Ｂｕｓ）ホストチップ１１０とＵＳＢコネクタ１１２とを備える。また、このＵＳＢホストチップ１１０はＵＳＢコネクタ１１２に電気的に結合されている。さらに携帯装置は充電電池１１４を備え、充電電池１１４はＵＳＢコネクタ１１２に電気的に接続し外部からの電圧供給により充電がなされる。
【００１３】
また、電源アダプタ２００は電圧変換器２０と充電プラグ２２とＵＳＢポート２４（第一の接続ポート）とを備えている。充電プラグ２２は電圧変換器２０に電気的に接続し、電圧変換器２０はＵＳＢポート２４に電気的に接続している。即ち、充電プラグ２２により入力する電圧を電圧変換器２０により直流電圧（第一の直流電圧）に変換し、その電圧をＵＳＢポート２４に挿入される装置（第一の装置）に対して供給するよう構成されている。
【００１４】
また、図示するようにＵＳＢ伝送線３０（信号伝送線）の電源線（Ｖｃｈａｒｇｅ、ＧＮＤ）は電源アダプタ２００の電圧変換器２０とＵＳＢコネクタ１１２とを電気的に接続している。即ち、充電プラグ２２により入力する電圧を電圧変換器２０により直流電圧（第二の直流電圧）に変換し、その電圧により携帯装置１００の充電電池１１４が充電される。また、ＵＳＢ伝送線３０のデータ線（Ｄ＋、Ｄ−）はＵＳＢコネクタ１１２とＵＳＢポート２４とを電気的に接続するようになされ、これによりデータ信号が伝送される。
【００１５】
このように本考案の第一の実施の形態によれば、充電プラグ２２が電源に電気的に接続されると、ＵＳＢ伝送線３０を介して携帯装置１００が充電されると共に、ＵＳＢポート２４に挿入される装置に電圧変換器２０から直接、電力が供給される。即ち、ＵＳＢポート２４に挿入される装置に対し、携帯装置１００から電力供給を行う必要がないため、携帯装置１００において電力を余計に消費することがない。これにより携帯装置１００の充電電池１１４を効率的に充電することができる。また、携帯装置１００とＵＳＢポート２４に挿入される装置とはＵＳＢ伝送線３０のデータ線により接続されるため、充電電池１１４への充電動作を行いながら、相互にデータ伝送を行うことができる。
【００１６】
続いて本考案に係る第二の実施の形態の説明をする。図３は本考案の伝送機能を有するマルチ用途充電システムの第二の実施形態を示す図である。尚、この第二の実施の形態においては、第一の実施の形態において図２に示したマルチ用途充電システムの全体構成と同一の構成を採用する。したがって、以下の説明においては、すでに説明した図２に示された各部に相当する部分を同一符号で示しており、したがって個々の機能および動作については適宜説明を省略する。
【００１７】
図に示すように、電源アダプタ２００は図２に示した構成に加え、ＵＳＢイーサネットチップ２６とイーサネット接続インターフェース２８とを備える。ＵＳＢイーサネットチップ２６は電圧変換器２０に電気的に接続され、且つ、ＵＳＢポート２４（接続ポート）とイーサネット接続インターフェース２８に電気的に結合している。
【００１８】
このように構成される本考案の第二の実施の形態によれば、携帯装置１００がＵＳＢ伝送線３０（接続伝送線）を介して電源アダプタ２００に電気的に接続されると、前記した第一の実施の形態と同様の効果を得ることができ、さらに携帯装置１００はイーサネットに接続することが可能となる。
【００１９】
続いて本考案に係る第三の実施の形態の説明をする。図４は本考案の伝送機能を有するマルチ用途充電システムの第三の実施形態を示す図である。尚、この第三の実施の形態においては、第一、第二の実施の形態において図２、図３に示したマルチ用途充電システムの全体構成と同一の構成を採用する。したがって、以下の説明においては、すでに説明した図２、図３に示された各部に相当する部分を同一符号で示しており、したがって個々の機能および動作については適宜説明を省略する。
【００２０】
図に示すように、電源アダプタ２００は図２に示した構成に加え、双方向データ伝送セレクタ２１０を備える。この双方向データ伝送セレクタ２１０はメイン通路と、少なくとも二組の選択通路とを有し、前記メイン通路はＵＳＢ伝送線３０のデータ線（Ｄ＋、Ｄ−）に接続され、前記選択通路はＵＳＢイーサネットチップ２６とＵＳＢポート２４に夫々接続されている。即ち、携帯装置１００は、ＵＳＢポート２４に挿入された装置との間のデータ伝送と、イーサネットに接続された装置との間のデータ伝送のいずれかが選択的に行えるようになされている。尚、電圧変換器２０は双方向データ伝送セレクタ２１０に電気的に接続し、電力供給するようになされている。
【００２１】
このように構成された本考案の第三の実施の形態によれば、双方向データ伝送セレクタ２１０が作動すると、選択通路のうちのいずれかが選択され、メイン通路を介して携帯装置１００がデータ伝送を行うことができる。即ち、携帯装置１００はイーサネット接続が可能となり、また、ＵＳＢポート２４に挿入される周辺装置に対しデータ伝送が可能となる。
【００２２】
前記のように、本考案は携帯装置をＵＳＢ伝送線を介して電源アダプタに電気的に接続することで、以下の利点を備える「伝送機能を有するマルチ用途充電システム」を得ることができる。
１．電源アダプタで携帯装置に充電を行うと同時に、携帯装置と周辺装置とのデータ伝送が可能となる。
２．電源アダプタから周辺装置に電力を供給すると同時に、携帯装置と周辺装置とのデータ伝送が可能となる。
３．携帯装置は、双方向データ伝送セレクタの選択動作に従い、イーサネット接続インターフェースに接続することができ、また、ＵＳＢポートに挿入される周辺装置に対しデータ伝送が可能となる。
【００２３】
また、本考案はＵＳＢポート（或は挿溝に接続）を適応できる以外にも、その他のデータ伝送及び電力供給機能のあるバスまでに適応でき、前記機能を達成することができる。
【００２４】
また、前記第一乃至第三の実施の形態夫々における具体的な構成は、単に本考案の実施可能な形態例に過ぎず、本考案の特徴を局限するものではない。また、いずれの当該分野における通常の知識を有する専門家が本考案の分野の中で、適当に変更や修飾などを実施できるが、それらの実施のことが本考案の主張範囲内に納入されるべきことは言うまでもないことである。
【図面の簡単な説明】
【００２５】
【図１】図１は従来の内蔵ＵＳＢホストチップの携帯装置システムを示す図である。
【図２】図２は本考案の伝送機能を有するマルチ用途充電システムの第一の実施形態を示す図である。
【図３】図３は本考案の伝送機能を有するマルチ用途充電システムの第二の実施形態を示す図である。
【図４】図４は本考案の伝送機能を有するマルチ用途充電システムの第三の実施形態を示す図である。
【符号の説明】
【００２６】
２０・・・・電圧変換器
２２・・・・充電プラグ
２４・・・・ＵＳＢポート
２６・・・・ＵＳＢイーサネットチップ
２８・・・・イーサネット接続インターフェース
３０・・・・ＵＳＢ伝送線
４０・・・・ＵＳＢポート
１００・・・携帯装置
１１０・・・ＵＳＢホストチップ
１１２・・・ＵＳＢコネクタ
１１４・・・充電電池
２００・・・電源アダプタ
２１０・・・双方向データ伝送セレクタ
【図１】
0003118303.tif 000003
【図２】
0003118303.tif 000004
【図３】
0003118303.tif 000005
【図４】
0003118303.tif 000006
【手続補正書】
【提出日】平成17年11月14日(2005.11.14)
【手続補正１】
【補正対象書類名】実用新案登録請求の範囲
【補正対象項目名】全文
【補正方法】変更
【補正の内容】
【実用新案登録請求の範囲】
【請求項１】
充電プラグと、
前記充電プラグにより入力する電圧を第一の直流電圧に変換する電圧変換器と、
前記電圧変換器に電気的に接続されると共に第一の装置が挿入される第一の接続ポートと、
第二の装置と前記第一の装置とが互いに信号伝送するように前記第二の装置と前記第一の装置とを接続する信号伝送線とを備え、
前記第一の直流電圧は、前記第一の接続ポートに挿入された前記第一の装置に提供されることを特徴とする伝送機能を有するマルチ用途充電装置。
【請求項２】
前記第一の接続ポートはＵＳＢポートであることを特徴とする請求項１に記載された伝送機能を有するマルチ用途充電装置。
【請求項３】
イーサネット接続インターフェースと、
前記電圧変換器に電気的に接続し、かつ前記第一の接続ポートと前記イーサネット接続インターフェースに電気的に結合するイーサネットチップとをさらに備えることを特徴とする請求項１または請求項２に記載された伝送機能を有するマルチ用途充電装置。
【請求項４】
信号伝送するためのメイン通路及び少なくとも二組の選択通路を有する双方向データ伝送セレクタをさらに備え、
前記少なくとも二組の選択通路は前記イーサネットチップと前記第一の接続ポートに夫々電気的に接続し、前記メイン通路は前記信号伝送線に電気的に結合することを特徴とする請求項３に記載された伝送機能を有するマルチ用途充電装置。
【請求項５】
前記電圧変換器はさらに、前記第二の装置に電力供給或は充電するように、前記信号伝送線を介して第二の直流電圧を提供することを特徴とする請求項１乃至請求項４のいずれかに記載された伝送機能を有するマルチ用途充電装置。
【請求項６】
請求項５に記載のマルチ用途充電装置を具備するマルチ用途充電システムであって、
充電及び信号伝送するための第一のコネクタが設けられた前記第二の装置を備え、
前記信号伝送線は、前記第一のコネクタと前記電圧変換器とを接続して前記第二の装置に前記第二の直流電圧を提供することを特徴とする伝送機能を有するマルチ用途充電システム。
【請求項７】
前記第二の装置はさらに充電電池を有し、前記充電電池は前記第一のコネクタに電気的に接続し充電を行うことを特徴とする請求項６に記載された伝送機能を有するマルチ用途充電システム。
【手続補正２】
【補正対象書類名】明細書
【補正対象項目名】００１０
【補正方法】変更
【補正の内容】
【００１０】
前記の目的を達成するために、本考案の伝送機能を有するマルチ用途充電システムは、携帯装置（第二の装置）と、電源アダプタ（マルチ用途充電装置）と、その電源アダプタが有するＵＳＢ伝送線（信号伝送線）とを具備する。その中で、携帯装置はＵＳＢ（Ｕｎｉｖｅｒｓａｌ Ｓｅｒｉａｌ Ｂｕｓ）ホストチップとＵＳＢコネクタ（第一のコネクタ）と充電電池とを備え、このＵＳＢホストチップはＵＳＢコネクタに結合される。
また、前記電源アダプタは充電プラグと電圧変換器とＵＳＢポートとＵＳＢイーサネットチップとイーサネット接続インターフェースと双方向データ伝送セレクタとを備え、充電プラグは電圧変換器に電気的に接続し、電圧変換器は双方向データ伝送セレクタとＵＳＢポートとＵＳＢイーサネットチップに電気的に接続して電力を与え、双方向データ伝送セレクタはメイン通路と少なくとも二組の選択通路を有し、これらの選択通路は夫々ＵＳＢイーサネットチップ及びＵＳＢポートに電気的に接続する。
また、ＵＳＢ伝送線は電源アダプタとＵＳＢコネクタに電気的に接続し、携帯装置をＵＳＢコネクタを介して充電させ、かつ、このＵＳＢ伝送線はメイン通路に電気的に結合し信号を伝送させる。
【手続補正３】
【補正対象書類名】明細書
【補正対象項目名】００１２
【補正方法】変更
【補正の内容】
【００１２】
図２は本考案の伝送機能を有するマルチ用途充電システムの第一の実施の形態を示す図である。図に示すように、本考案の伝送機能を有するマルチ用途充電システムは、携帯装置１００（第二の装置）とマルチ用途充電装置としての電源アダプタ２００とで構成される。その中では、携帯装置１００はＵＳＢ（Ｕｎｉｖｅｒｓａｌ Ｓｅｒｉａｌ Ｂｕｓ）ホストチップ１１０とＵＳＢコネクタ１１２とを備える。また、このＵＳＢホストチップ１１０はＵＳＢコネクタ１１２に電気的に結合されている。さらに携帯装置は充電電池１１４を備え、充電電池１１４はＵＳＢコネクタ（第一のコネクタ）１１２に電気的に接続し外部からの電圧供給により充電がなされる。
【手続補正４】
【補正対象書類名】明細書
【補正対象項目名】００１７
【補正方法】変更
【補正の内容】
【００１７】
図に示すように、電源アダプタ２００は図２に示した構成に加え、ＵＳＢイーサネットチップ２６とイーサネット接続インターフェース２８とを備える。ＵＳＢイーサネットチップ２６は電圧変換器２０に電気的に接続され、且つ、ＵＳＢポート２４とイーサネット接続インターフェース２８に電気的に結合している。
【手続補正５】
【補正対象書類名】明細書
【補正対象項目名】００１８
【補正方法】変更
【補正の内容】
【００１８】
このように構成される本考案の第二の実施の形態によれば、携帯装置１００がＵＳＢ伝送線３０を介して電源アダプタ２００に電気的に接続されると、前記した第一の実施の形態と同様の効果を得ることができ、さらに携帯装置１００はイーサネットに接続することが可能となる。